(57)【特許請求の範囲】
【請求項１】
天井クレーンのガーダ上に設置され、該ガーダに沿って横行するクラブと、該クラブから吊垂支持され開閉と昇降動作とを行うごみ掴み用バケットと、前記クラブとは個別的にガーダに沿って横行し、ごみピット内のごみをごみ掴み用バケットから受け、かつ焼却炉ホッパーへ投入可能とした開閉式ホッパーを備えた仮置ホッパー台車とを配設して構成したごみピット上に設置した天井クレーンであって、クラブの横行用レールをガーダの上面に、仮置ホッパー台車の横行用レールをガーダの下面に、それぞれ配置することによってクラブと仮置ホッパー台車との干渉を防止するようにし、該仮置ホッパー台車の横行用レールに仮置ホッパー台車をシリンダからなる昇降装置を介して配設し、仮置ホッパー台車を、該仮置ホッパー台車の開閉式ホッパーよりも高位置まで上昇させたごみ掴み用バケットからごみを受ける位置と、焼却炉ホッパーへ投入する位置との間を往復移動するようにしたことを特徴とする仮置ホッパー台車付天井クレーン。
【発明の詳細な説明】
【技術分野】
【０００１】
本発明は、仮置ホッパー台車付天井クレーンに関するものである。
【背景技術】
【０００２】
従来、家庭や事業所などから排出されるごみは、ごみ収集車（パッカー車）にて収集し、このごみを都市ごみ焼却場まで搬送し、このごみ焼却場に配設されたごみピット内に順次投入し、このピット内のごみをごみピット上に設置されたバケット付天井クレーンを用いて所定量ずつ掴み、ごみの積み替え作業や該ピット内からホッパーへの投入を行ったりするようにした天井クレーンが提案されている。
【０００３】
ところで、従来によるごみ焼却場などのごみピット上と焼却炉上間を走行可能に設置される天井クレーンは、ごみピット内に予備用をも含めて複数台の天井クレーンが配備されているが、通常は１台の天井クレーンのみを用いて、ごみの積み替え作業や、ごみピット内から焼却炉のホッパー内への投入作業を、行うようにしている。
【０００４】
このため、例えば、ごみの積み替え作業中は、他方の焼却炉ホッパー内への投入作業を行うことができないので、このごみ投入作業を休止しなければならない。
したがって、１台の天井クレーンで、焼却炉ホッパー内への投入とごみの積み替え等の別作業との二役を行うようにしても、その作業能率は１台のクレーンでこの作業を行うので、その作業能率は低いという問題があった。
【発明の開示】
【発明が解決しようとする課題】
【０００５】
本発明は、上記従来のごみ焼却場の天井クレーンの有する問題点に鑑み、１台のクレーンにて同時にごみの積み替え作業と焼却炉ホッパー内への投入作業とを行うことができ、天井クレーンの作業能率を向上させることができるようにした仮置ホッパー台車付天井クレーンを提供することを目的とする。
【課題を解決するための手段】
【０００６】
上記目的を達成するため、本発明の仮置ホッパー台車付天井クレーンは、天井クレーンのガーダ上に設置され、該ガーダに沿って横行するクラブと、該クラブから吊垂支持され開閉と昇降動作とを行うごみ掴み用バケットと、前記クラブとは個別的にガーダに沿って横行し、ごみピット内のごみをごみ掴み用バケットから受け、かつ焼却炉ホッパーへ投入可能とした開閉式ホッパーを備えた仮置ホッパー台車とを配設して構成したごみピット上に設置した天井クレーンであって、クラブの横行用レールをガーダの上面に、仮置ホッパー台車の横行用レールをガーダの下面に、それぞれ配置することによってクラブと仮置ホッパー台車との干渉を防止するようにし、該仮置ホッパー台車の横行用レールに仮置ホッパー台車をシリンダからなる昇降装置を介して配設し、仮置ホッパー台車を、該仮置ホッパー台車の開閉式ホッパーよりも高位置まで上昇させたごみ掴み用バケットからごみを受ける位置と、焼却炉ホッパーへ投入する位置との間を往復移動するようにしたことを特徴とする。
【発明の効果】
【０００７】
本発明の仮置ホッパー台車付天井クレーンによれば、１台の天井クレーンで必要に応じて同時にごみの積み替えと焼却炉への投入との二役を果たすことができるので、比較的空間の少ないごみピット上での天井クレーンの設置が１台で済み、かつその設置も簡易に行えるとともに、ごみ掴み用バケットの作動タイムサイクルを短縮して能率的にクレーン作業を行うことができる。
【０００８】
そして、ごみ掴み用バケットにてごみの積み替え作業中等、該バケットから焼却炉ホッパーへごみを直ちに投入できないような場合においても、ごみ掴み用バケットから供給されたごみを仮置ホッパー台車内にて一時的に貯留保持することができるので、焼却炉ホッパーへ投入可能になれば開閉式のホッパーを開くだけで迅速に投入でき、その間ごみ掴み用バケットが空とすることができるため、ごみの積み替え作業等に使用することができ、クレーンの能率を向上させることができる。
【０００９】
また、ごみ掴み用バケットからのごみの供給を確実に行うことができるとともに、焼却炉ホッパーへ投入時には、仮置ホッパー台車を焼却炉ホッパー直上位置まで降下させることができるから、該焼却炉ホッパーの直上位置でホッパーを開くことにより投入ごみの舞い上がりを防止することができる。
【００１０】
さらに、ごみ掴み用バケットを吊垂支持したクラブをごみの積み替え位置の近傍で、仮置ホッパー台車への積み替えができるので、クラブをごみの積み替え位置からあまり長い距離を移動させなくてもよく、これによりごみ掴み用バケットの作動タイムサイクルを短縮することができ、ごみの積み替え、投入作業も能率的に行うことができる。
【発明を実施するための最良の形態】
【００１１】
以下、本発明の仮置ホッパー台車付天井クレーンの実施の形態を、図面に基づいて説明する。
【実施例１】
【００１２】
図１〜図２に、本発明の仮置ホッパー台車付天井クレーンの一実施例を示す。
この仮置ホッパー台車付天井クレーンＣは、ごみピットＰ上とごみ焼却炉Ｂ上を走行可能に設置するようにした天井クレーンであって、該天井クレーンのガーダ１に沿って横行するようにしたクラブ２に、バケット開閉と昇降動作とを行うようにしたごみ掴み用バケット４を索条７を介して吊垂支持するとともに、該クラブ２とは個別的にガーダ１に沿って横行するようにした仮置ホッパー台車３に、ごみ掴み用バケット４からのごみを受け、横行して焼却炉ホッパーＨへ投入可能とした開閉式ホッパー５を配設して構成するようにしている。
【００１３】
仮置ホッパー台車付天井クレーンＣのガーダ１は、通常の天井走行クレーンと同様に、ごみピットＰ、ごみ焼却炉Ｂの上方に配設したレールＲに沿って走行可能とする。これは、ガーダ１の下部に配設した走行車輪Ｗ、Ｗを走行装置（図示省略）にて駆動するようにして行い、少なくともごみピット全長に亘ってガーダ１が走行できるようにするが、特にその走行装置は限定されるものではない。
また、このガーダ１には、その全長方向に沿ってクラブ横行用のレール６を敷設し、この横行用レール６に沿って、少なくともごみピットＰの端から焼却炉ホッパーＨ上方位置までを横行するようにしてクラブ２を配設する。
このクラブ２には、ごみ掴み用バケット４をワイヤー等の索条７にて吊垂支持するようにするとともに、バケット昇降装置２１により索条７の巻き取り、巻き戻しにてごみ掴み用バケット４を昇降させ、かつ開閉用の索条操作或いは油圧にて前記ごみ掴み用バケット４を開閉するようにする。
なお、このごみ掴み用バケット４の構成、開閉操作は、特に限定されるものではなく、油圧方式やロープ方式でバケットを開閉するようにしたごみ掴み用バケットを採用することができ、例えば、油圧式バケット器匡の外下部に、左右に対向して配置し、かつごみなどの扱い物を掴み易い形状に、かつ所要量のごみの掴みを確実に行えるような形状、例えば、都市ごみを掴み易く形成する複数本の掴み爪を突設した２つのバケット片を、それぞれヒンジを介して揺動可能に取り付け、該バケット片の上端側にバケットシリンダを配設して該バケット片の開放、閉動作による掴み動作を行うように構成することができる。
【００１４】
また、前記ガーダ１には、クラブ横行用のレール６とは別に、仮置ホッパー台車の横行用レール８を敷設する。この仮置ホッパー台車の横行用レール８とクラブ横行用のレール６との高さ位置を異にして、これは特に限定されるものではないが、例えば、クラブ横行用のレール６を高位置（ガーダ１の上面）に、仮置ホッパー台車３の横行用レール８を低位置（ガーダ１の下面）になるよう、それぞれ平行して配置し、これによりクラブ２と仮置ホッパー台車３との干渉を防止するようにする。
【００１５】
この仮置ホッパー台車の横行用レール８の敷設位置及びその長さは、仮置ホッパー台車３が、少なくともごみ掴み用バケット４からごみを受ける位置と、焼却炉ホッパーＨへ投入する位置との間を往復可能とするものとし、これによりごみ掴み用バケット４から受け取ったごみを、焼却炉ホッパーＨの直上位置まで移動した仮置ホッパー台車３から、かつその下部に配設した開閉式ホッパー５を開くことで、焼却炉ホッパーＨへ直接投入できるようにする。
【００１６】
また、ごみ掴み用バケット４からごみを受け取るようにした仮置ホッパー台車３には、その下部位置に開閉式ホッパー５を配設するとともに、この仮置ホッパー台車３を昇降させる昇降装置、具体的には、シリンダを配設する。これにより、仮置ホッパー台車３の開閉式ホッパー５よりも高位置まで上昇したごみ掴み用バケット４から、閉じた開閉式ホッパー５の上部に積むようにしてごみを受け取り、一時貯留することができるとともに、焼却炉ホッパーＨ上の位置においては、該仮置ホッパー台車３、少なくともその開閉式ホッパー５の位置を、焼却炉ホッパーＨの直上位置まで降下させた後、該開閉式ホッパー５を開くことで焼却炉ホッパーＨ内へのごみ投入時の飛散を未然に防止することができる。
【００１７】
次に、本発明の仮置ホッパー台車付天井クレーンを用いて、ごみの積み替え、焼却炉ホッパーＨへのごみの投入動作について説明する。
ごみピットＰの所定位置に配置し、かつ走行可能とした仮置ホッパー台車付天井クレーンＣを、ごみピットＰ内でごみの積み替えを行う場合、図１に示すように、ごみ積み替え位置でクラブ２を停止させ、ごみ掴み用バケット４を鎖線のように開口させて索条７の巻き戻しことによりごみ山上に向かって降下させると、該バケットがごみ山の頂面に接触、すなわち、着地によりバケットの自重とその降下速度とより、バケット先端に突設した掴み爪はごみ山内に突き刺さるようになる。
【００１８】
このごみ掴み用バケット４の着地にて索条７の巻き戻し下降は停止させるとともに、油圧ポンプの作用にて解放（開口）されているバケット片を閉じるようにすると、ごみはこのごみ掴み用バケット内に自然に掴み取られるようになる。この動作を必要に応じて２、３回繰り返すことによりごみの掴みをより確実なものとすることができる。
そして、このごみ掴み用バケット４を吊り上げるとともに、仮置ホッパー台車３へ移載できる位置まで移動させた後、ごみ掴み用バケット４を開口し、バケット４内のごみを放出して移載し、以下、この動作を繰り返して行う。
【００１９】
また、ごみピットＰ内での積み替え作業時に、ごみ焼却炉Ｂへのごみの投入指令が出されると、ごみ掴み用バケット４にて掴み取ったごみを、仮置ホッパー台車３内に移すようにする。
これは、ごみ掴み用バケット４の上昇した位置の直下位置まで仮置ホッパー台車３を移動させるとともに、この上昇したごみ掴み用バケット４と仮置ホッパー台車３とが互いに干渉しないよう、仮置ホッパー台車３を昇降装置にて昇降させるものとする。
このようにして、ごみを受け取った仮置ホッパー台車３をごみ焼却炉Ｂ側へ、詳しくは焼却炉ホッパーＨの直上位置まで移動（横行）させ、その後、昇降装置を操作して仮置ホッパー台車３を降下させた後、開閉式ホッパー５を開くと、仮置ホッパー台車３内に一時貯留されていたごみは、舞い上がることなく確実に焼却炉ホッパーＨ内に投入される。
【００２０】
空になった仮置ホッパー台車３は、ごみ投入位置で待機させるか、或いはごみ掴み用バケット４によるピット内のごみ積み替え作業に支障のない、かつ該バケットからのごみの移し替え易い位置で待機させるが、この空になった仮置ホッパー台車３を待機させるとき、次のごみ焼却炉Ｂへのごみ投入指令があれば迅速に行えるよう、待機中の仮置ホッパー台車３のホッパーを閉じ、次のごみの供給をごみ掴み用バケット４から受け、一時貯留するようにして待機させておくことができる。
このようにすることで、ごみ掴み用バケット４は運休することなく、次の焼却炉へのごみ投入を行うまでの間、ごみ積み替え作業を継続的に行うことができ、１台で同時に異なる作業の二役をこなして天井クレーンの作業能率を向上させることができる。
【００２１】
なお、ごみ掴み用バケット４にて掴み取ったごみを、一旦、仮置ホッパー台車３内に移し、焼却炉ホッパーＨ内に投入する動作について説明したが、ごみ掴み用バケット４にて掴み取ったごみを、直接焼却炉ホッパーＨ内に投入するようにすることもできる。
具体的には、
（１）仮置ホッパー台車３を、図１において、右端の位置で待機させた状態で、ごみ掴み用バケット４を焼却炉ホッパーＨの直上位置まで移動させた後、バケット４を開口し、バケット４内のごみを、焼却炉ホッパーＨ内に投入する。
（２）仮置ホッパー台車３の幅Ｗ３をごみ掴み用バケット４の幅Ｗ４より広く形成し、ごみピットＰ上で、仮置ホッパー台車３をバケット４が通過できる高さまで降下させて中貫でバケット４を焼却炉ホッパーＨの直上位置まで移動させた後、バケット４を開口し、バケット４内のごみを、焼却炉ホッパーＨ内に投入する。
（３）ガーダ１の幅Ｗ１を拡げ、仮置ホッパー台車３の横行用レール８が天井クレーンＣの走行方向に移動できる構造とし、仮置ホッパー台車３の横をごみ掴み用バケット４が通過してバケット４を焼却炉ホッパーＨの直上位置まで移動させた後、バケット４を開口し、バケット４内のごみを、焼却炉ホッパーＨ内に投入する。
等の方式を採用することができる。
【００２２】
以上、本発明の仮置ホッパー台車付天井クレーンについて、実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の仮置ホッパー台車付天井クレーンは、１台のクレーンにて同時にごみの積み替え作業と焼却炉ホッパー内への投入作業とを行うことができ、天井クレーンの作業能率を向上させることができることからごみ焼却場のほか、ごみを取り扱う施設に広く使用することができる。
【図面の簡単な説明】
【００２４】
【図１】本発明の仮置ホッパー台車付天井クレーンの一実施例を示す正面図である。
【図２】同側面図である。
【符号の説明】
【００２５】
Ｃ  仮置ホッパー台車付天井クレーン
Ｐ  ごみピット
Ｂ  ごみ焼却炉
Ｈ  焼却炉ホッパー
Ｒ  レール
Ｗ  走行車輪
１  天井クレーンのガーダ
２  クラブ
３  仮置ホッパー台車
４  ごみ掴み用バケット
５  開閉式ホッパー
６  クラブ横行用レール
７  索条
８  仮置ホッパー台車の横行用レール
【図１】
0004619672.tif 000002
【図２】
0004619672.tif 000003